(57)【要約】【課題】  本発明が解決しようとする課題は、モダリティや表示装置で共通して扱える文字種を増やすことができる医用情報システムおよび医用情報処理装置を提供することである。【解決手段】  上記課題を解決するために、実施形態の医用情報システムは、文字情報と画像情報を有する医用データを生成可能な医用診断装置と、前記医用診断装置で生成された前記医用データから前記文字情報を取得する文字情報取得手段と、前記文字情報取得手段が取得した前記文字情報を患者単位で蓄積させる文字情報蓄積手段と、前記医用データに前記文字情報蓄積手段に蓄積された前記文字情報を追加する文字情報追加手段と、を備える。【選択図】図１
2014139754.tif 000002
【特許請求の範囲】
【請求項１】
文字情報と画像情報を有する医用データを生成可能な医用診断装置と、
前記医用診断装置で生成された前記医用データから前記文字情報を取得する文字情報取得手段と、
前記文字情報取得手段が取得した前記文字情報を患者単位で蓄積させる文字情報蓄積手段と、
前記医用データに対して前記文字情報蓄積手段に蓄積された前記文字情報を追加することで文字種拡張データを生成する文字情報追加手段と、
を備えた医用情報システム。
【請求項２】
前記医用データを保存するサーバを備え、
前記医用診断装置は、前記サーバに対して前記医用データを転送し、
前記文字情報取得手段は、前記医用データの転送中に前記文字情報を取得する請求項１に記載の医用情報システム。
【請求項３】
前記文字情報追加手段によって生成された前記文字種拡張データを表示し、前記サーバに前記医用データを前記文字情報追加手段に転送するように指示する表示手段を備え、
前記サーバは、前記表示手段からの指示に従って前記医用データを前記文字情報追加手段に転送し、
前記文字情報追加手段は、前記サーバから転送された前記医用データに対して前記文字情報蓄積手段に蓄積された前記文字情報を追加することで前記文字種拡張データを生成し、前記文字種拡張データを前記表示手段に転送することで前記表示手段に前記文字種拡張データを表示させる請求項１又は２に記載の医用情報システム。
【請求項４】
前記文字情報蓄積手段は、異なる複数の医用診断装置で生成された前記医用データの前記文字情報を蓄積する請求項１乃至３のうちいずれか一つに記載の医用情報システム。
【請求項５】
前記文字情報は、少なくとも患者ＩＤ、患者氏名、前記文字情報の文字種を規定する識別子であり、
前記文字情報追加手段は、前記患者ＩＤ単位で前記文字情報を追加する請求項１乃至４のうちいずれか一つに記載の医用情報システム。
【請求項６】
前記情報蓄積手段は、前記患者ＩＤで定義される患者単位で前記文字情報を蓄積させる請求項５に記載の医用情報システム。
【請求項７】
文字情報と画像情報を有する医用データを第１の装置から受信する受信手段と、
前記医用データから前記文字情報を取得する文字情報取得手段と、
前記文字情報取得手段が取得した前記文字情報を患者単位で蓄積させる文字情報蓄積手段と、
前記医用データに前記文字情報蓄積手段に蓄積された前記文字情報を追加することで文字種拡張データを生成する文字情報追加手段と、
前記文字情報追加手段で生成された文字種拡張データを第２の装置へ送信する送信手段と、
を備えた医用情報処理装置。
【発明の詳細な説明】
【技術分野】
【０００１】
本発明の実施形態は、医用情報システムおよび医用情報処理装置に関する。
【背景技術】
【０００２】
医用診断装置（モダリティ）で撮影された画像情報をネットワーク上のサーバに保存し、サーバに保存された当該画像情報を、上記モダリティとは別の場所に設置された表示装置や別のモダリティに表示させるという技術がある。通常、画像情報は、患者情報および検査情報などの文字情報を付帯させている。一般的に、画像情報は、ＤＩＣＯＭ（Ｄｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｎｅ）と呼ばれる標準規格に準じて生成される。一方、文字情報は、全てのモダリティで統一された文字種を使用しているわけではなく、例えば、あるモダリティでは文字種としてＡＳＣＩＩ文字しか扱えないのに対し、別のモダリティではＡＳＣＩＩ文字、漢字、カナ文字といった複数の文字種を扱えるということがある。
【先行技術文献】
【特許文献】
【０００３】
【特許文献１】特開２０００−２８５１２９号公報
【発明の概要】
【発明が解決しようとする課題】
【０００４】
上記のように、モダリティごとに扱える文字種が異なると、例えば、表示装置がＡＳＣＩＩ文字、漢字、カナ文字の文字種が扱えるとしても、ＡＳＣＩＩ文字しか扱えないモダリティによって生成された画像情報と文字情報を表示装置で表示させる場合において、ＡＳＣＩＩ文字で表示させざるをえない。即ち、実際の運用がＡＳＣＩＩ文字のみの運用にならざるを得なくなり、扱える文字種の少ないモダリティに足を引っ張られる運用となってしまう。このような運用は、例えばＡＳＣＩＩ文字以外の文字種で運用したいというユーザがいた場合、そのニーズを満たしていないことになる。
【０００５】
なお、特許文献１では、データベースに蓄積されている文字情報の文字種を、画像プロキシ装置が別の文字種に変換させることで、診断用ワークステーションや参照用端末で扱える文字種を増やしている。
【０００６】
また、上記の他に、モダリティ単位で文字種変換Ｇａｔｅｗａｙ装置を設置し、サーバに画像情報を保存する前に文字情報の文字種を増やすという方法も考えられているが、モダリティの更新時に再設計が必要になり、多大な開発コストが掛かってしまうという欠点がある。
【０００７】
本発明が解決しようとする課題は、モダリティや表示装置で共通して扱える文字種を増やすことができる医用情報システムおよび医用情報処理装置を提供することである。
【課題を解決するための手段】
【０００８】
上記課題を解決するために、実施形態の医用情報システムは、文字情報と画像情報を有する医用データを生成可能な医用診断装置と、前記医用診断装置で生成された前記医用データから前記文字情報を取得する文字情報取得手段と、前記文字情報取得手段が取得した前記文字情報を患者単位で蓄積させる文字情報蓄積手段と、前記医用データに前記文字情報蓄積手段に蓄積された前記文字情報を追加する文字情報追加手段と、を備える。
【図面の簡単な説明】
【０００９】
【図１】実施例１におけるブロック図。
【図２】実施例１における文字種の蓄積に係るフロー図。
【図３】実施例１における文字種の追加に係るフロー図。
【図４】実施例２におけるブロック図。
【図５】実施例２における文字種の蓄積に係るフロー図。
【図６】実施例２における文字種の追加に係るフロー図。
【発明を実施するための形態】
【００１０】
以下、本発明の実施形態について図面を参照しながら説明する。
【００１１】
（実施例１）
図１は実施例１の医用情報システムにおけるブロック図である。実施例１の医用情報システムは、モダリティ１、モダリティ２、キャプチャ装置３、サーバ４、表示装置５を備える。モダリティ１、モダリティ２、キャプチャ装置３、サーバ４、表示装置５は、ネットワーク１０に接続されており、相互にデータの送受信が可能である。
【００１２】
モダリティ１は、Ｘ線ＣＴ装置、ＭＲＩ装置、Ｘ線診断装置、超音波診断装置などの医用診断装置である。モダリティ１は、画像情報と文字情報から成る医用データ（オリジナルデータ）を生成する。画像情報とは、撮影が実施されることで生成された画像そのものの情報であり、文字情報とは、撮影に係る患者の氏名や患者ＩＤなどの患者情報、検査を行った日付や条件などの検査情報、上記患者情報及び検査情報の文字種を規定する識別子、といった文字で表記される情報のことである。モダリティ１が使用できる文字種はＡＳＣＩＩ文字であり、モダリティ１が生成したオリジナルデータにおける文字情報は、ＡＳＣＩＩ文字で表記される。モダリティ１が生成したオリジナルデータは、モダリティ１を使用するオペレータの指示に従って、サーバ４に転送される。
【００１３】
モダリティ２は、Ｘ線ＣＴ装置、ＭＲＩ装置、Ｘ線診断装置、超音波診断装置などの医用診断装置である。モダリティ２は、モダリティ１と同様に、画像情報と文字情報から成るオリジナルデータを生成する。モダリティ２が使用できる文字種はＡＳＣＩＩ文字、漢字、カナ文字であり、モダリティ２が生成したオリジナルデータにおける文字情報は、ＡＳＣＩＩ文字、漢字、カナ文字で表記される。モダリティ２が生成したオリジナルデータは、モダリティ２を使用するオペレータの指示に従って、サーバ４に転送される。
【００１４】
キャプチャ装置３は、医用情報処理装置などのコンピュータ装置であり、ネットワーク１０を介してデータの送受信を行う図示しない送受信部を備える。また、キャプチャ装置３は、キャプチャ装置データベース（キャプチャ装置ＤＢ６）、文字情報取得部８、文字情報追加部９を備える。文字情報取得部８は、モダリティ１あるいはモダリティ２によってサーバ４に転送されている最中のオリジナルデータから文字情報のみを取得し、取得した文字情報を患者単位でキャプチャ装置ＤＢ６に蓄積させる。ここで、患者の区別は、例えばオリジナルデータが有する患者ＩＤによって行われる。なお、患者の区別は患者ＩＤだけでなく、患者氏名、性別、生年月日などを用いても良い。文字情報追加部９は、後述する表示装置５の指示に従ってサーバ４から転送されたオリジナルデータに対して、そのオリジナルデータに係る患者についてキャプチャ装置ＤＢ６が蓄積している文字情報を追加し、文字種拡張データを生成する。キャプチャ装置３は、文字情報追加部９によって生成された文字種拡張データを表示装置５に転送する。
【００１５】
サーバ４は、例えばＰＡＣＳ（Ｐｉｃｔｕｒｅ  Ａｒｃｈｉｖｉｎｇ  Ｃｏｍｍｕｎｉｃａｔｉｏｎ  Ｓｙｓｔｅｍｓ）であり、サーバデータベース（サーバＤＢ７）を備える。サーバ４は、モダリティ１あるいはモダリティ２から転送されてきたオリジナルデータをサーバＤＢ７に保存する。サーバ４は、表示装置５からオリジナルデータの転送の指示を受け取ると、サーバＤＢ７に保存されているオリジナルデータ中から転送を指示されたオリジナルデータを読み出し、キャプチャ装置３に転送する。
【００１６】
表示装置５は、例えば、パーソナルコンピュータであり、図示しないマウスや図示しないキーボード、図示しないディスプレイを備える。表示装置５は、ＡＳＣＩＩ文字、漢字、カナ文字の文字種を使用することができる。なお、実施例１における表示装置５は、全ての文字種で文字情報を表示するものとして記述する。表示装置５のディスプレイには、サーバＤＢ７に保存されているオリジナルデータがリストアップされて表示される。オペレータは、マウスやキーボードを使用して、リストアップされたオリジナルデータの中から所望のオリジナルデータを選択する。表示装置５は、サーバ４に対して、選択されたオリジナルデータをキャプチャ装置３に転送するように指示する。表示装置５は、サーバ４からキャプチャ装置３を経由して転送されてきた文字種拡張データをディスプレイに表示させる。
【００１７】
図２は、同一の患者についてのオリジナルデータがモダリティ１とモダリティ２でそれぞれ生成されてから、キャプチャ装置３がオリジナルデータの文字情報をキャプチャ装置ＤＢ６に蓄積させるまでのフロー図である。以下、オリジナルデータは患者「東芝  太郎」に係るオリジナルデータであり、患者「東芝  太郎」に係るオリジナルデータは、文字情報として患者ＩＤ「ａａａａ１１１１」を有するとする。
【００１８】
ステップＳ１において、モダリティ１によって文字種がＡＳＣＩＩ文字のオリジナルデータが生成される。
【００１９】
ステップＳ２において、モダリティ１は、モダリティ１を使用するオペレータの指示に従って、文字種がＡＳＣＩＩ文字であるオリジナルデータをサーバ４に転送する。
【００２０】
ステップＳ３において、キャプチャ装置３の文字情報取得部８は、転送中の文字種がＡＳＣＩＩ文字であるオリジナルデータから文字情報のみを取得する。なお、ここで文字情報取得部８がオリジナルデータから取得する文字情報は、例えば、患者ＩＤ（「ａａａａ１１１１」）、ＡＳＣＩＩ文字で表記された患者氏名（「ＴＯＳＨＩＢＡ＾ＴＡＲＯ」）、文字種がＡＳＣＩＩ文字であることを規定する識別子である。なお、文字情報取得部８による文字情報の取得が完了したオリジナルデータは、サーバ４に転送されサーバＤＢ７に保存される。
【００２１】
ステップＳ４において、キャプチャ装置３は、文字情報取得部８が取得した文字情報を、患者単位でキャプチャ装置ＤＢ６に蓄積させる。上記の例に沿って説明すると、識別子によってＡＳＣＩＩ文字と規定された文字種で表記された患者氏名「ＴＯＳＨＩＢＡ＾ＴＡＲＯ」が、患者ＩＤ「ａａａａ１１１１」に関連する文字情報としてキャプチャ装置ＤＢ６に蓄積される。
【００２２】
ステップＳ５において、モダリティ２によって文字種がＡＳＣＩＩ文字、漢字、カナ文字のオリジナルデータが生成される。
【００２３】
ステップＳ６において、モダリティ２は、モダリティ２を使用するオペレータの指示に従って、文字種がＡＳＣＩＩ文字、漢字、カナ文字であるオリジナルデータをサーバ４に転送する。
【００２４】
ステップＳ７において、キャプチャ装置３の文字情報取得部８は、転送中の文字種がＡＳＣＩＩ文字、漢字、カナ文字であるオリジナルデータから文字情報のみを取得する。なお、ここで文字情報取得部８がオリジナルデータから取得する文字情報は、例えば、患者ＩＤ（「ａａａａ１１１１」）、ＡＳＣＩＩ文字、漢字、カナ文字で表記された患者氏名（「ＴＯＳＨＩＢＡ＾ＴＡＲＯ」、「東芝＾太郎」「トウシバ＾タロウ」）、文字種がＡＳＣＩＩ文字、漢字、カナ文字であることを規定する識別子である。なお、文字情報取得部８による文字情報の取得が完了したオリジナルデータは、サーバ４に転送されサーバＤＢ７に保存される。
【００２５】
ステップＳ８において、キャプチャ装置３は、文字情報取得部８が取得した文字情報を、患者単位でキャプチャ装置ＤＢ６に蓄積させる。上記の例に沿って説明すると、識別子によってＡＳＣＩＩ文字と規定された文字種で表記された患者氏名「ＴＯＳＨＩＢＡ＾ＴＡＲＯ」と、識別子によって漢字と規定された文字自主で表記された患者氏名「東芝＾太郎」と、識別子によってカナ文字と規定された文字種で表記された患者氏名「トウシバ＾タロウ」が、患者ＩＤ「ａａａａ１１１１」に関連する文字情報としてキャプチャ装置ＤＢ６に蓄積される。
【００２６】
以上のステップ１〜ステップＳ８のプロセスが完了した場合、上記の例に沿って説明すると、キャプチャ装置ＤＢ６には、識別子によってＡＳＣＩＩ文字と規定された文字種で表記された患者氏名「ＴＯＳＨＩＢＡ＾ＴＡＲＯ」、識別子によって漢字と規定された文字種で表記された患者氏名「東芝＾太郎」、識別子によってカナ文字と規定された文字種で表記された患者氏名「トウシバ＾タロウ」が、患者ＩＤ「ａａａａ１１１１」に関連する文字情報として蓄積されていることになる。
【００２７】
図３は、表示装置５のディスプレイにリストアップされて表示されたオリジナルデータの中からオペレータが所望のオリジナルデータを選択してから、所望のオリジナルデータに係る文字種拡張データが表示装置５のディスプレイに表示されるまでのフロー図である。
【００２８】
ステップＳ９において、まず、表示装置５のディスプレイに、サーバＤＢ７に保存されているオリジナルデータがリストアップされて表示される。オペレータは、表示装置５のマウスやキーボードを使用して、リストアップされたオリジナルデータの中から、例えば、モダリティ１で生成された患者「東芝  太郎」、即ち、患者ＩＤ「ａａａａ１１１１」に係るオリジナルデータを選択する。表示装置５は、サーバ４に対して、選択されたオリジナルデータをキャプチャ装置３に転送するように指示する。
【００２９】
ステップＳ１０において、サーバ４は、表示装置５からオリジナルデータの転送の指示を受け取ると、サーバＤＢ７に保存されているオリジナルデータ中から転送を指示されたオリジナルデータを読み出し、キャプチャ装置３に転送する。上記の例に沿って説明すると、転送を指示されたオリジナルデータは、患者ＩＤ「ａａａａ１１１１」に係るオリジナルデータである。前述の通り、モダリティ１で生成されたオリジナルデータの文字種は、識別子によってＡＳＣＩＩ文字と規定された文字種であり、患者ＩＤ「ａａａａ１１１１」に係る患者氏名は、「ＴＯＳＨＩＢＡ＾ＴＡＲＯ」のようにＡＳＣＩＩ文字の文字種で表記される。
【００３０】
ステップＳ１１において、キャプチャ装置３の文字情報追加部９は、表示装置５の指示に従ってサーバ４から転送されてきたオリジナルデータに対して、そのオリジナルデータに係る患者についてキャプチャ装置ＤＢ６が蓄積している文字情報を追加し、文字種拡張データを生成する。即ち、キャプチャ装置ＤＢ６には、識別子によってＡＳＣＩＩ文字と規定された文字種で表記された患者氏名（「ＴＯＳＨＩＢＡ＾ＴＡＲＯ」）、識別子によって漢字と規定された文字種で表記された患者氏名（「東芝＾太郎」）識別子によってカナ文字と規定された文字種で表記された患者氏名（「トウシバ＾タロウ」）が、患者ＩＤ「ａａａａ１１１１」に関連する文字情報として蓄積されているため、文字情報追加部９は、ステップＳ１０において識別子によってＡＳＣＩＩ文字と規定された文字種で表記された患者氏名を有していたオリジナルデータに、識別子によって漢字と規定された文字種で表記された患者氏名と、識別子によってカナ文字と規定された文字種で表記された患者氏名とを追加することになる。
【００３１】
ステップＳ１２において、キャプチャ装置３は、文字情報追加部９によって生成された文字種拡張データを表示装置５に転送する。なお、この文字種拡張データは、上記例に沿って説明すると、識別子によってＡＳＣＩＩ文字、漢字、カナ文字と規定された文字種で表記された患者氏名を有するデータである。
【００３２】
ステップＳ１３において、表示装置５は、キャプチャ装置３から受け取った文字種拡張データを表示装置５のディスプレイに表示させる。なお、前述した通り、実施例１における表示装置５は、全ての文字種で文字情報をディスプレイに表示させる。
【００３３】
以上のように、実施例１における医用情報システムでは、ある文字種（文字種Ｘ）を扱えないモダリティで生成された文字情報を、文字種Ｘを扱えるモダリティで生成された文字情報で補填することで、文字種Ｘの文字情報として表示装置で表示可能にすることができる。これによって、表示装置は、扱える文字種が少ないモダリティに合わせた文字種で文字情報を表示させる必要が無くなる。また、実施例１における医用診断システムは、モダリティが生成したオリジナルデータをサーバに転送するというルーティンの過程において、自動的に文字情報を取得し同一の患者に係る文字情報の文字種を蓄積させるため、表示可能な文字種の数を自己成長させることができる。更に、実施例１における医用情報システムは、オリジナルデータ自体の文字種を変換させることで文字種を増やすのではなく、新たな文字情報を追加させることによって文字種を増やすため、文字種の変換によってオリジナルデータを破損させる心配が無くなる。一方で、文字種変換Ｇａｔｅｗａｙ装置のように、モダリティ単位で装置を設置する必要が無いため、モダリティの更新時における再設計が必要無くなり、開発コストが低減できる。
【００３４】
実施例１では簡略化のために２つのモダリティで生成されたオリジナルデータについて説明したが、当然のことながら、ネットワークに接続されたモダリティによって生成されたオリジナルデータであれば文字情報の蓄積及び追加が行える。
【００３５】
また、実施例１では、表示装置５が文字情報追加部９によって生成された文字種拡張データを表示させる場合について説明したが、この文字種拡張データを表示させるのは、モダリティや画像処理装置であっても良い。例えば、実施例１におけるモダリティとは別に、ＡＳＣＩＩ文字、漢字、カナ文字を扱うことができるモダリティが実施例１と同様のネットワークに接続されていた場合、このモダリティで文字情報追加部９によって文字種拡張データを表示させることも可能である。
【００３６】
更に、実施例１では、文字情報取得部８が取得する文字情報および文字情報追加部９が追加する文字情報が、患者ＩＤ、患者氏名、文字種を規定する識別子である場合を詳しく説明したが、文字情報取得部８が取得する文字情報および文字情報追加部９が追加する文字情報は、患者の生年月日、患者の性別、患者の旧姓、施設名、依頼医師名など、文字として表記可能な情報であれば何でも良い。
【００３７】
（実施例２）
図４は実施例２の医用情報システムにおけるブロック図である。実施例２の医用情報システムは、モダリティ１、モダリティ２、サーバ４、表示装置５を備える。モダリティ１、モダリティ２、サーバ４、表示装置５は、ネットワーク１０に接続されており、相互にデータの送受信が可能である。
【００３８】
モダリティ１は、Ｘ線ＣＴ装置、ＭＲＩ装置、Ｘ線診断装置、超音波診断装置などの医用診断装置である。モダリティ１は、画像情報と文字情報から成るオリジナルデータを生成する。画像情報とは、撮影が実施されることで生成された画像そのものの情報であり、文字情報とは、撮影に係る患者の氏名や患者ＩＤなどの患者情報、検査を行った日付や条件などの検査情報、上記患者情報及び検査情報の文字種を規定する識別子といった文字で表記される情報のことである。モダリティ１が使用できる文字種はＡＳＣＩＩ文字と漢字であり、モダリティ１が生成したオリジナルデータにおける文字情報は、ＡＳＣＩＩ文字または漢字で表記される。モダリティ１が生成したオリジナルデータは、モダリティ１を使用するオペレータの指示に従って、サーバ４に転送される。
【００３９】
モダリティ２は、Ｘ線ＣＴ装置、ＭＲＩ装置、Ｘ線診断装置、超音波診断装置などの医用診断装置である。モダリティ２は、モダリティ１と同様に、画像情報と文字情報から成るオリジナルデータを生成する。モダリティ２が使用できる文字種はＡＳＣＩＩ文字とカナ文字であり、モダリティ２が生成したオリジナルデータにおける文字情報は、ＡＳＣＩＩ文字またはカナ文字で表記される。モダリティ２が生成したオリジナルデータは、モダリティ２を使用するオペレータの指示に従って、サーバ４に転送される。
【００４０】
サーバ４は、例えばＰＡＣＳであり、二つのサーバデータベース（サーバＤＢ７ａ、サーバＤＢ７ｂ）を備えた医用情報処理装置などのコンピュータ装置である。サーバ４は、モダリティ１あるいはモダリティ２から転送されてきたオリジナルデータをサーバＤＢ７ａに保存する。サーバ４は、モダリティ１あるいはモダリティ２によってサーバ４に転送されたオリジナルデータから文字情報のみを取得し、取得した文字情報を患者単位でサーバＤＢ７ｂに蓄積させる。ここで、患者の区別は、例えばオリジナルデータが有する患者ＩＤによって行われる。サーバ４は、後述する表示装置５からオリジナルデータの転送の指示を受け取ると、サーバＤＢ７ａに保存されているオリジナルデータ中から転送を指示されたオリジナルデータを読み出す。サーバ４は、サーバ４が読み出したオリジナルデータの文字情報に対して、そのオリジナルデータに係る患者についてサーバＤＢ７ｂが蓄積している文字情報を追加し、文字種拡張データを生成する。サーバ４は、当該文字種拡張データを表示装置５に転送する。
【００４１】
表示装置５は、例えば、パーソナルコンピュータであり、図示しないマウスや図示しないキーボード、図示しないディスプレイを備える。表示装置５は、ＡＳＣＩＩ文字、漢字、カナ文字の文字種を使用することができる。なお、実施例２における表示装置５は、全ての文字種の文字情報を表示するものとして記述する。表示装置５のディスプレイには、サーバＤＢ７に保存されているオリジナルデータがリストアップされて表示される。オペレータは、マウスやキーボードを使用して、リストアップされたオリジナルデータの中から所望のオリジナルデータを選択する。表示装置５は、サーバ４に対して、選択されたオリジナルデータに係る文字種拡張データを表示装置５に転送するように指示する。表示装置５は、サーバ４から転送された文字種拡張データをディスプレイに表示させる。
【００４２】
図５は、同一の患者についてのオリジナルデータがモダリティ１とモダリティ２でそれぞれ生成されてから、サーバ４がオリジナルデータの文字情報をサーバＤＢ７ａに蓄積させるまでのフロー図である。以下、オリジナルデータは患者「東芝  太郎」に係るオリジナルデータであり、患者「東芝  太郎」に係るオリジナルデータは、文字情報として患者ＩＤ「ａａａａ１１１１」を有するとする。
【００４３】
ステップＳ１において、モダリティ１によって文字種がＡＳＣＩＩ文字と漢字のオリジナルデータが生成される。
【００４４】
ステップＳ２において、モダリティ１は、モダリティ１を使用するオペレータの指示に従って、文字種がＡＳＣＩＩ文字と漢字であるオリジナルデータをサーバ４に転送する。
【００４５】
ステップＳ３においてサーバ４は、モダリティ１から転送されてきた文字種がＡＳＣＩＩ文字と漢字であるオリジナルデータをサーバＤＢ７ａに保存する。
【００４６】
ステップＳ４において、サーバ４は、モダリティ１から転送されてきた文字種がＡＳＣＩＩ文字と漢字であるオリジナルデータから文字情報のみを取得し、取得した文字情報を患者単位でサーバＤＢ７ｂに蓄積させる。なお、サーバＤＢ７ｂに保存される文字情報は、例えば、患者ＩＤ（「ａａａａ１１１１」）、ＡＳＣＩＩ文字と漢字で表記された患者氏名（「ＴＯＳＨＩＢＡ＾ＴＡＲＯ」、「東芝＾太郎」）、文字種がＡＳＣＩＩ文字と漢字であることを規定する識別子である。即ち、識別子によってＡＳＣＩＩ文字と規定された文字種で表記された患者氏名「ＴＯＳＨＩＢＡ＾ＴＡＲＯ」と、識別子によって漢字と規定された文字種で表記された患者氏名「東芝＾太郎」が、患者ＩＤ「ａａａａ１１１１」に関連する文字情報としてサーバＤＢ７ｂに蓄積される。
【００４７】
ステップＳ５において、モダリティ２によって文字種がＡＳＣＩＩ文字とカナ文字のオリジナルデータが生成される。
【００４８】
ステップＳ６において、モダリティ２は、モダリティ２を使用するオペレータの指示に従って、文字種がＡＳＣＩＩ文字とカナ文字であるオリジナルデータをサーバ４に転送する。
【００４９】
ステップＳ７においてサーバ４は、モダリティ１から転送されてきた文字種がＡＳＣＩＩ文字とカナ文字であるオリジナルデータをサーバＤＢ７ａに保存する。
【００５０】
ステップＳ８において、サーバ４は、モダリティ１から転送されてきた文字種がＡＳＣＩＩ文字とカナ文字であるオリジナルデータから文字情報のみを取得し、取得した文字情報を患者単位でサーバＤＢ７ｂに蓄積させる。なお、サーバＤＢ７ｂに保存される文字情報は、例えば、患者ＩＤ（「ａａａａ１１１１」）、ＡＳＣＩＩ文字とカナ文字で表記された患者氏名（「ＴＯＳＨＩＢＡ＾ＴＡＲＯ」、「トウシバ＾タロウ」）、文字種がＡＳＣＩＩ文字とカナ文字であることを規定する識別子である。即ち、識別子によってＡＳＣＩＩ文字ＡＳＣＩＩ文字規定された文字種で表記された患者氏名「ＴＯＳＨＩＢＡ＾ＴＡＲＯ」と、識別子によってカナ文字と規定された文字種で表記された患者氏名「トウシバ＾タロウ」が、患者ＩＤ「ａａａａ１１１１」に関連する文字情報としてサーバＤＢ７ｂに蓄積される。
【００５１】
以上のステップ１〜ステップＳ８のプロセスが完了した場合、上記の例に沿って説明すると、サーバＤＢ７ｂには、識別子によってＡＳＣＩＩ文字と規定された文字種で表記された患者氏名「ＴＯＳＨＩＢＡ＾ＴＡＲＯ」、識別子によって漢字と規定された文字種で表記された患者氏名「東芝＾太郎」、識別子によってカナ文字と規定された文字種で表記された患者氏名「トウシバ＾タロウ」が、患者ＩＤ「ａａａａ１１１１」に関連する文字情報として蓄積されていることになる。
【００５２】
図６は、表示装置５を使用するオペレータによって、リストアップされたオリジナルデータの中から所望のオリジナルデータが選択されてから、所望のオリジナルデータに係る文字種拡張データが表示装置５のディスプレイに表示されるまでのフロー図である。
【００５３】
ステップＳ９において、まず、表示装置５のディスプレイに、サーバＤＢ７に保存されているオリジナルデータがリストアップされて表示される。オペレータは、表示装置５のマウスやキーボードを使用して、リストアップされたオリジナルデータの中から、例えばモダリティ１で生成された患者「東芝  太郎」、即ち、患者ＩＤ「ａａａａ１１１１」に係るオリジナルデータを選択する。表示装置５は、サーバ４に対して、選択されたオリジナルデータを表示装置５に転送するように指示する。
【００５４】
ステップＳ１０において、サーバ４は、表示装置５によって転送を指示されたサーバＤＢ７ａに保存されているオリジナルデータを読み出す。上記の例に沿って説明すると、転送を指示されたオリジナルデータは、患者ＩＤ「ａａａａ１１１１」に係るオリジナルデータである。サーバ４は、読み出したオリジナルデータに対して、そのオリジナルデータに係る患者についてサーバＤＢ７ｂが蓄積している文字情報を追加し、文字種拡張データを生成する。即ち、サーバＤＢ７ｂには、識別子によってＡＳＣＩＩ文字と規定された文字種で表記された患者氏名（「ＴＯＳＨＩＢＡ＾ＴＡＲＯ」）、識別子によって漢字と規定された文字種で表記された患者氏名（「東芝＾太郎」）、識別子によってカナ文字と規定された文字種で表記された患者氏名（「トウシバ＾タロウ」）が、患者ＩＤ「ａａａａ１１１１」に関連する文字情報として蓄積されているため、サーバ４は、識別子によってＡＳＣＩＩ文字あるいは漢字と規定された文字種で表記された患者氏名を有していたオリジナルデータに、識別子によってカナ文字と規定された文字種で表記された患者氏名を追加することになる。
【００５５】
Ｓ１１において、サーバ４は、文字種拡張データを表示装置５に転送する。なお、文字種拡張データは、上記例に沿って説明すると、ＡＳＣＩＩ文字、漢字、カナ文字の３種類の文字種で表記された患者氏名を有するデータである。
【００５６】
Ｓ１２において、表示装置５は、サーバ４から受け取った文字種拡張データを表示装置５のディスプレイに表示させる。なお、前述した通り、実施例２における表示装置５は、全ての文字種で文字情報をディスプレイに表示させる。
【００５７】
以上のように、実施例２における医用情報システムでは、ある文字種（文字種Ｘ）を扱えないモダリティで生成された文字情報を、文字種Ｘを扱えるモダリティで生成された文字情報で補填することで、文字種Ｘの文字情報として表示装置で表示可能にすることができる。これによって、表示装置は、扱える文字種が少ないモダリティに合わせた文字種で文字情報を表示させる必要が無くなる。また、実施例２における医用診断システムは、モダリティが生成したオリジナルデータをサーバに転送するというルーティンの過程において、自動的に文字情報を取得し同一の患者に係る文字情報の文字種を蓄積させるため、表示可能な文字種の数を自己成長させることができる。更に、実施例２における医用情報システムは、オリジナルデータ自体の文字種を変換させることで文字種を増やすのではなく、新たな文字情報を追加させることによって文字種を増やすため、文字種の変換によってオリジナルデータを破損させる心配が無くなる。一方で、文字種変換Ｇａｔｅｗａｙ装置のように、モダリティ単位で装置を設置する必要が無いため、モダリティの更新時における再設計が必要無くなり、開発コストが低減できる。また、実施例１と比較して、従来のサーバに手を加えるだけで良いため、開発コストが低減できる。
【００５８】
なお、医用情報システム全体として、オリジナルデータから文字情報を取得し、取得した文字情報を蓄積し、蓄積した文字情報をオリジナルデータに追加するという３つの機能を有しているのならば、これらの機能は一つの装置にまとめて設けられていなくとも良い。
【００５９】
以上、本発明の実施形態を説明したが、これらの実施形態は例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６０】
１、２・・・モダリティ
３・・・キャプチャ装置
４・・・サーバ
５・・・表示装置
６・・・キャプチャ装置ＤＢ
７、７ａ、７ｂ・・・サーバＤＢ
８・・・文字情報取得部
９・・・文字情報追加部
１０・・・ネットワーク
【図１】
2014139754.tif 000003
【図２】
2014139754.tif 000004
【図３】
2014139754.tif 000005
【図４】
2014139754.tif 000006
【図５】
2014139754.tif 000007
【図６】
2014139754.tif 000008